(57)【要約】【課題】  自然な操作で発光させることができる発光装置を提供する。【解決手段】  透明容器３には予め酸化液を貯留しておき、原液タンク１０には蛍光液を貯留しておく。リードスイッチ１４が取付金具によって取り付けられた位置にある目印板を目標に永久磁石を近づけると、リードスイッチ１４は、磁界により開閉動作して制御部９に発光を指示するので、制御部９はポンプ１０を動作させ、原液タンク１１から蛍光液が送出され、透明容器３の酸化液と混合して発光する。装置本体２と目印板とは非磁性体または弱磁性体で形成され、取付金具は強磁性体で形成されているので、永久磁石を近づけただけで、容易にリードスイッチ１４が取り付けてある位置を判別することができる。【選択図】  図２
2006164636.tif 000002
【特許請求の範囲】
【請求項１】
光を出射する発光手段と、前記発光手段の発光を制御する制御手段と、磁界により開閉動作して前記制御手段に発光を指示するスイッチ手段とを備えたことを特徴とする発光装置。
【請求項２】
前記スイッチ手段は、装置本体の内側面に取付手段により取り付けられ、
前記装置本体の外側面であり、かつ前記取付手段のある位置に目印板が設けられていることを特徴とする請求項１記載の発光装置。
【請求項３】
前記装置本体および前記目印板は、非磁性体または弱磁性体で形成され、
前記取付手段は、強磁性体で形成されていることを特徴とする請求項２記載の発光装置。
【発明の詳細な説明】
【技術分野】
【０００１】
本発明は、結婚式の披露宴、パーティー、ショーその他のセレモニーなどにおいて演出器材として使用する発光装置に関する。
【背景技術】
【０００２】
結婚式の披露宴や各種パーティーなどにおいては、幻想的な雰囲気を醸成するためスポットライトや、キャンドルや、または化学発光反応によって特有の光を発する発光装置などにより光の演出が行われている。このような光の演出を行う発光装置が、特許文献１に記載されている。
【０００３】
この特許文献１に記載の発光装置は、互いに混合すると発光反応を開始する２種類の発光原液が収容される原液タンクと、この原液タンク内の発光原液を圧送する空気が収容される高圧空気ボンベが設けられている。そして、原液タンクと高圧空気ボンベとの間にはタイマー付きの開閉バルブが設けられており、開閉バルブの開放時期を調整することで発光時間を調整するものである。
【０００４】
【特許文献１】特開２００２−２６０４１８号公報
【発明の開示】
【発明が解決しようとする課題】
【０００５】
しかし、特許文献１に記載の発光装置は、発光するタイミングをタイマーで行っているため、披露宴やパーティーなどの進行状況に突然の変更が生じた場合では、適宜発光するタイミングを変更することは困難なことが想定される。
【０００６】
また、発光装置本体に発光開始を指示するためにシーソースイッチやプッシュスイッチを設けると、発光させるために発光装置まで近寄りスイッチの投入操作を行う必要がある。そうなると、周囲にいる人にスイッチの投入操作をしたことが分かってしまうため、演出効果が減退し、興ざめするおそれがある。
【０００７】
無線装置による遠隔操作で発光の開始を指示することも可能ではあるが、発光させるタイミングを見計らって無線装置を操作する操作者が必要である。
【０００８】
そこで本発明においては、自然な操作で発光させることができる発光装置を提供することを目的とする。
【課題を解決するための手段】
【０００９】
本発明の発光装置は、光を出射する発光手段と、前記発光手段の発光を制御する制御手段と、磁界により開閉動作して前記制御手段に発光を指示するスイッチ手段とを備えたことを特徴とする。
【００１０】
発光装置の周囲から永久磁石や電磁石で、スイッチ手段に磁界を印加すると、スイッチ手段が開閉動作をして制御手段に発光を指示し、制御手段が発光手段に発光させる制御を行う。磁界を発生する永久磁石や電磁石をスイッチ手段に近接または接触させるだけで発光させることができる。
【００１１】
前記スイッチ手段は、装置本体の内側面に取付手段により取り付けられ、前記装置本体の外側面であり、かつ前記取付手段のある位置に目印板が設けられているのが望ましい。
【００１２】
スイッチ手段は、装置本体の内側面に設けられているので、発光装置の外側から見ても美観を損なわない。また、スイッチ手段が取り付けられているのが、装置本体の内側面なので、弱い磁界を発生する永久磁石や電磁石でも開閉動作ができる。また、スイッチ手段を取り付けている取付手段のある位置に目印板を設けているので、装置本体の外側からスイッチ手段の位置が視認できなくても、容易にスイッチ手段の位置が判別することができる。
【００１３】
前記装置本体および前記目印板は、非磁性体または弱磁性体で形成され、前記取付手段は、強磁性体で形成されていることが望ましい。
【００１４】
装置本体および目印板は非磁性体または弱磁性体で形成され、取付手段は強磁性体で形成されているので、操作者は永久磁石や電磁石を装置本体に近づけると取付手段のみに強く吸引力を感じることができる。従って、操作者は、磁界を発生する永久磁石や電磁石を目印板へ近づけると、強磁性体で形成された取付手段のある位置に引き寄せられる力を感じるので、その力に従うことで装置本体の内側面に取り付けられたスイッチ手段の開閉動作を行うことができる。
【発明の効果】
【００１５】
本発明によれば、以下の効果を奏する。
（１）光を出射する発光手段と、発光手段の発光を制御する制御手段と、磁界により開閉動作して制御手段に発光を指示するスイッチ手段とを備えたことにより、磁界によりスイッチ手段を開閉動作させて発光させる操作は、周囲の人たちに発光操作をしているようには感じさせないので、自然な雰囲気の中で発光させることができる。また発光操作は、磁界を発生する永久磁石や電磁石をスイッチ手段に近づけるだけなので、初めて操作する操作者でも簡単に発光させることができる。よって、披露宴などでは新郎や新婦に永久磁石や電磁石を持たせて操作させることも可能なので、特別な操作者が操作する必要がない。更に、簡単な仕組みなので安価で作製できるにも係わらず確実に発光させることができる。
（２）スイッチ手段は、装置本体の内側面に取付手段により取り付けられ、装置本体の外側面であり、かつ取付手段のある位置に目印板が設けられているので、目印板を目標に磁石や電磁石を操作することができる。よって、初めて操作を行う操作者でも容易に発光操作を行う位置を判断することができる。また、装置本体の外側からスイッチ手段が見えない位置にあるため、意匠性の高い形状に装置本体を形成したときでも、美観を損なうことがない。
（３）装置本体および目印板は、非磁性体または弱磁性体で形成され、取付手段は、強磁性体で形成されているので、永久磁石や電磁石を目印板を目標に近づけるだけで取付手段に吸引させられる。よって、装置本体外側からは視認することができないスイッチ手段の位置を容易に判別することができ、確実に発光操作を行うができる。
【発明を実施するための最良の形態】
【００１６】
本発明の実施の形態に係る発光装置の構成について、図１および図２に基づいて説明する。図１は、本発明の実施の形態に係る発光装置の斜視図である。図２は、本発明の実施の形態に係る発光装置の構成を説明する図である。図３は、リードスイッチが装置本体に取り付けられている状態を説明する図である。
【００１７】
図１に示すように、発光装置１は、披露宴やパーティーなどで各テーブル上に配置され、光の演出効果を出すためのものである。発光装置１は、略三角錐状に形成された装置本体２の頂部にガラス製の透明容器３が設けられている。透明容器３には、過酸化水素とサリチル酸ナトリウム等を含有する酸化液が貯留される。また装置本体２の頂部にはガラス製のコップ４を懸架するための懸架部２ａが、外側に向かって３本伸びている。このコップ４に生花などを生けたり、造花を飾ったり、キャンドルを配置したりする。
【００１８】
装置本体２は、ステンレスや、アルミニウムや、銅合金で形成することができるが、非磁性体または弱磁性体であれば他の材質で形成してもよい。
【００１９】
装置本体２の一面側には、発光原液の補充や、電池の交換や、メンテナンスをするための扉２ｂが設けてある。また扉２ｂと同じ一面側には、発光を指示するために永久磁石や、電磁石を近づける目標となる目印板５が設けてある。
【００２０】
目印板５は、装置本体２と同様にステンレスや、アルミニウムや、銅合金で形成することができるが、非磁性体または弱磁性体であれば他の材質で形成してもよい。目印板５は、披露宴やパーティーの雰囲気に合致するように本実施の形態では外形がハートに形成されているが、ダイヤや、スペードや、異形としてもよい。
【００２１】
図２に示すように、装置本体２には、電源である電池７と、無線部８と、制御部９と、ポンプ１０と、原液タンク１１と、逆止弁１２と、液監視部１３と、リードスイッチ１４とが収容されている。
【００２２】
電池７は、直流電源として６Ｖの電圧を供給する。無線部８は、遠隔で発光を指示する際に使用し、受信する電波のチャンネルを複数備えている。披露宴会場やパーティー会場に複数の発光装置１が配置されている場合は、それぞれの無線部８が受信するチャンネルを異なるものとすることで個別に発光させることも可能である。またチャンネルを同じとすることで全部の発光装置１を同時に発光させることも可能である。
【００２３】
制御部９は、無線部８からの発光指示や、リードスイッチ１４からの発光指示に基づいてポンプ１０を駆動して発光の制御を行ったり、液監視部１３からの通知によりポンプ１０を停止したりする制御手段である。
【００２４】
ポンプ１０は、制御部９からの通知により送気管１５に空気を通過させて原液タンク１１へ送出する機能を有している。
【００２５】
原液タンク１１は、透明容器３に貯留される酸化液と混ざると発光する蛍光液を貯留するタンクである。この蛍光液は、蛍光物質、シュウ酸エステル、染料等を含有する化学発光液である。原液タンク１１は、装置本体２の頂部に設けられた透明容器３と逆止弁１２を介在させて送液管１６で接続されている。
【００２６】
逆止弁１２は、装置本体２の頂部に設けられた透明容器３に予め貯留された過酸化水素とサリチル酸ナトリウム等を含有する酸化液が垂直に配置された送液管１６を逆流しないようにするとともに、原液タンク１１から送出された蛍光液が透明容器３内で混合した後に、戻ってこないようにする機能を備えている。
【００２７】
液監視部１３は、原液タンク１１と逆止弁１２とを接続する送液管１６に配置されている。液監視部１３は、フォトインタラプタを備え、フォトインタラプタの発光部と受光部とが送液管１６を挟むように配置されている。液監視部１３は、この発光部からの光を受光部が受けることで、その光量の度合いの変化を検出して、送液管１６に蛍光液が通過しているか否かを検出する。従って送液管１６は、白色半透明のシリコンチューブなどの光透過性を有する管とする必要がある。
【００２８】
リードスイッチ１４は、磁界で開閉動作するスイッチ手段である。ここでこのリードスイッチ１４について図３に基づいて詳細に説明する。
【００２９】
図３の示すように、リードスイッチ１４と制御部９とを接続する接続電線１７にポリエチレン系電線が用いられている。またリードスイッチ１４は、ポリオレフィン系チューブで形成された保護カバー１８に覆われている。そしてこの保護カバー１８は、取付金具１９により装置本体２の内側面に取り付けられている。接続電線１７をポリエチレン系電線とし、保護カバー１８をポリオレフィン系チューブとしているが、酸化液や蛍光液が付着しても腐食や劣化しない材質であれば、他のものでも使用できる。
【００３０】
取付金具１９は、鋼製のボルト１９ａと、ワッシャ１９ｂと、ナット１９ｃとで構成され、リードスイッチ１４を保護する保護カバー１８を装置本体２の内側面に固定する取付手段である。取付金具１９は、ボルト１９ａにワッシャ１９ｂとともに保護カバー１８に設けられた貫通孔を挿通させ、ナット１９ｃを螺合させて保護カバー１８を固定している。取付金具１９は、鋼製などの強磁性体であれば、他の材質で形成してもよい。取付金具１９がリードスイッチ１４を取り付けている装置本体２の外側面が、目印板５が設けられている位置である。
【００３１】
次に、リードスイッチ１４に近づけて発光指示するために使用される操作棒について、図４に基づいて説明する。図４は、本発明の実施の形態に係る発光装置に発光を指示する作動棒の一例を示す図である。
【００３２】
図４に示すように、操作棒２０は、略１ｍの金属製の棒である。操作棒２０は、披露宴などで新郎新婦が把持する把持部２０ａが基部に設けられ、先端部には永久磁石２０ｂが設けられている。
【００３３】
以上のように構成される本発明の実施の形態に係る発光装置の動作および使用状態を図に基づいて説明する。本実施の形態では披露宴に発光装置１を設置する場合を例に説明する。
【００３４】
まず、披露宴の会場の各テーブル上に発光装置１を設置する。例えば丸テーブルの場合には、中央付近に設置するのが望ましい。懸架部２ａに吊り下げられたコップ４に、生花やキャンドルを適宜飾り付けておく。
【００３５】
図１に示すように、発光装置１を設置すると装置本体１の頂部に設けられた透明容器３に、過酸化水素とサリチル酸ナトリウム等を含有する酸化液を貯留する。透明容器３に酸化液を貯留しても逆止弁１２が垂直に配置した送液管１６を逆流することを防止している。
【００３６】
会場を暗くしてキャンドルサービスが始まるとスポットライトを浴びながら新郎新婦が図３に示される操作棒２０の把持部２０ａを二人が握り、各テーブル上に設置された発光装置１の目印板５を目標に、操作棒２０の先端部の永久磁石２０ｂを近づける。
【００３７】
目印板５は非磁性体または弱磁性体で形成されているので、新郎新婦は、その周囲に永久磁石を近づけても引き寄せられる強い力を感じないが、装置本体２の内側面にリードスイッチ１４を取り付けている取付金具１９の位置に近づくと引き寄せられるような強い吸引力を感じる。その力に従うように操作棒２０を操作すると永久磁石２０ｂは、取付金具１９がある位置の目印板５に当接して吸着する。
【００３８】
永久磁石２０ｂが取付金具１９のある位置に吸着することで、リードスイッチ１４に永久磁石２０ｂの磁界が印加され、開閉動作が行われる。永久磁石２０ｂが、目印板５の取付金具１９がある位置に当接して吸着するので、確実にリードスイッチ１４の開閉動作が行うことができる。例えば、装置本体２が強磁性体であれば目印板５に到達する前に永久磁石が、装置本体２に吸着してしまい操作棒２０の操作がしにくい。また装置本体２が非磁性体または弱磁性体であっても目印板５が強磁性体であれば、目印板５の周囲部分に吸着してしまい、リードスイッチ１４が開閉操作を開始する磁界が不足する距離となってしまうおそれがある。そうなると操作棒２０を握る新郎新婦は、目印板５を目標に操作棒２０の永久磁石２０ｂを近づけているのに、いつまで経っても発光動作が開始しない状態となる。
【００３９】
また、装置本体２と、目印板５と、取付金具１９とが全て非磁性体または弱磁性体であれば、永久磁石２０ｂがどこにも吸着しない、または吸着する力が弱いので、リードスイッチ１４が開閉動作をしたか否かが判別しにくい。本発明の実施の形態に係る発光装置１では、装置本体２と、目印板５とを非磁性体または弱磁性体とし、取付金具１９を強磁性体としているので、取付金具１９のある位置に操作棒２０の先端部の永久磁石２０ｂが吸着する。この吸着により新郎新婦にはリードスイッチ１４が開閉動作をしたことを判別させることができるので、初めて操作する新郎新婦でも確実にリードスイッチ１４の開閉動作をさせて発光させることができ、安心して次のテーブルへ移動することができる。
【００４０】
リードスイッチ１４が開閉動作すると、制御部９がその開閉動作を検知して、ポンプ１０を動作させる。
【００４１】
ポンプ１０が動作することで、空気が送気管１５を介して原液タンク１１へ送出される。原液タンク１１から送り出された蛍光液は、送液管１６を介し、逆止弁１２を通過して透明容器３へ到達する。透明容器３では、酸化液に蛍光液が混合されることで発光する。暗くなった会場の中では、発光した透明容器３が浮き上がったように見えるので、幻想的な演出効果を得ることができる。
【００４２】
また、新郎新婦が操作棒２０を操作して永久磁石２０ｂをリードスイッチ１４のある位置に近づけるというキャンドルサービスとしては自然な動きなので、テーブルの周囲に着席している人たちも、発光操作をしているようには感じさせない。従って、自然な雰囲気の中で発光させることができる。
【００４３】
ポンプ１０は空気を送出し続けることで、原液タンク１１の蛍光液は、透明容器３に送られる。原液タンク１１の蛍光液が無くなると、ポンプ１０が送出する空気がそのまま原液タンク１１から送液管１６を介して通過していく。
【００４４】
液監視部１３は、送液管１６を通過する蛍光液がなくなり空気が通過することで、発光部からの光を受けて電気信号へ変換する受光部の出力信号が変動する。この受光部の出力信号を制御部９が受信してポンプ１０を停止させる。このようにして、本発明の実施の形態に係る発光装置１の発光動作は行われる。
【００４５】
以上、本実施の形態に係る発光装置１では、操作棒２０の先端部に永久磁石２０ｂを設けてリードスイッチ１４の開閉動作を行ったが、操作棒２０の把持部２０ａに電池を収納する電池ボックスとスイッチとを設け、先端部から磁界を発生するように電磁石を設けるようにしてもよい。また装置本体の色を適宜変更することで、葬儀などにも使用することができる。
【００４６】
また、本実施の形態では、２液を混合させて化学的に発光させる発光装置を例に説明したが、電球や発光ダイオードを発光手段として装置本体の周面に設けた発光装置としてもよい。
【産業上の利用可能性】
【００４７】
本発明は、自然な操作で発光させることができるので、結婚式の披露宴、パーティー、ショーその他のセレモニーなどにおいて演出器材として使用する発光装置に好適である。
【図面の簡単な説明】
【００４８】
【図１】本発明の実施の形態に係る発光装置の斜視図である。
【図２】本発明の実施の形態に係る発光装置の構成を説明する図である。
【図３】リードスイッチが装置本体に取り付けられている状態を説明する図である。
【図４】本発明の実施の形態に係る発光装置に発光を指示する作動棒の一例を示す図である。
【符号の説明】
【００４９】
１  発光装置
２  装置本体
２ａ  懸架部
２ｂ  扉
３  透明容器
４  コップ
５  目印板
７  電池
８  無線部
９  制御部
１０  ポンプ
１１  原液タンク
１２  逆止弁
１３  液監視部
１４  リードスイッチ
１５  送気管
１６  送液管
１７  接続電線
１８  保護カバー
１９  取付金具
１９ａ  ボルト
１９ｂ  ワッシャ
１９ｃ  ナット
２０  操作棒
２０ａ  把持部
２０ｂ  永久磁石
【図１】
2006164636.tif 000003
【図２】
2006164636.tif 000004
【図３】
2006164636.tif 000005
【図４】
2006164636.tif 000006